(57)【特許請求の範囲】
【請求項１】
筐体の背面上部に設けられた吸込口と、前面下部に設けられた送風ケーシングからなる吹出口とを結び、同送風ケーシングの前面上部にフロントギャップ部を備えた空気通路を形成するように、前記筐体の上面、前面および両側面との間に所定の間隔をなして同筐体内に遮熱板が配置され、
前記空気通路に温水を循環して放熱する放熱器と、同放熱器により熱交換された温風を前記吹出口に送出する送風ファンとを設け、前記遮熱板の一側と前記筐体の一側との間に、前記送風ファンを駆動するファンモータを収容する収容部が形成されてなるファンコンベクタにおいて、
前記収容部に収容されるファンモータを固定する固定具を、前記遮熱板に一体的に形成し、
前記筐体を構成するスタンドに被着され、前後に前記遮熱板を介した前面カバーおよび背面カバーを装着した外胴に、同外胴への取付けおよび取外し時に前記遮熱板の両側部が干渉しないための切除部を設けた
ことを特徴とするファンコンベクタ。
【発明の詳細な説明】
【０００１】
【発明の属する技術分野】
本発明は、ファンコンベクタに係わり、より詳細には、空気通路を形成する遮熱板とファンモータを固定するモータ固定具とを一体的に形成してコスト的に有利にした構造に関する。
【０００２】
【従来の技術】
従来のファンコンベクタは、例えば図１および図４で示すように、筐体１の背面上部に設けられた吸込口２と、前面下部に設けられた送風ケーシング3'からなる吹出口３とを結び、同送風ケーシング3'の前面上部にフロントギャップ部6bを備えた空気通路７を形成するように、前記筐体１の上面、前面および両側面との間に所定の間隔をなして同筐体１内に遮熱板６が配置され、前記空気通路７に温水を循環して放熱する放熱器４と、同放熱器４により熱交換された温風を前記吹出口３に送出する送風ファン５とを設け、前記遮熱板６の一側と前記筐体１の一側との間に、前記送風ファン５に直結したファンモータ5aおよび基板8a等を収容する収容部８が形成されてなる構成であった。
【０００３】
しかしながら、前記モータ固定具5bは、前記遮熱板６に例えばねじ締めなどによって取り付けられるようにした構成であることから、部品点数が多くなってコスト的に不利になるとともに、組立工数も増加してしまうという問題を有していた。
【０００４】
【発明が解決しようとする課題】
本発明においては、上記の問題点に鑑み、空気通路を形成する遮熱板とファンモータを固定するモータ固定具とを一体的に形成して、コスト的に有利な構造でなるファンコンベクタを提供することを目的とする。
【０００５】
【課題を解決するための手段】
本発明は上述の課題を解決するため、
筐体の背面上部に設けられた吸込口と、前面下部に設けられた送風ケーシングからなる吹出口とを結び、同送風ケーシングの前面上部にフロントギャップ部を備えた空気通路を形成するように、前記筐体の上面、前面および両側面との間に所定の間隔をなして同筐体内に遮熱板が配置され、前記空気通路に温水を循環して放熱する放熱器と、同放熱器により熱交換された温風を前記吹出口に送出する送風ファンとを設け、前記遮熱板の一側と前記筐体の一側との間に、前記送風ファンを駆動するファンモータを収容する収容部が形成されてなるファンコンベクタにおいて、前記収容部に収容されるファンモータを固定する固定具を、前記遮熱板に一体的に形成し、前記筐体を構成するスタンドに被着され、前後に前記遮熱板を介した前面カバーおよび背面カバーを装着した外胴に、同外胴への取付けおよび取外し時に前記遮熱板の両側部が干渉しないための切除部を設けた構成となっている。
【０００９】
【発明の実施の形態】
以下、本発明の実施の形態を、添付図面に基づいた実施例として説明する。
図１と、図２と、図３（Ａ）および図３（Ｂ）とにおいて、１はファンコンベクタ本体を構成する筐体、ａは同筐体１を構成するスタンド、ｂは同スタンドａの下部をカバーするスタンドカバー、ｃは前記スタンドａに被着される外胴、ｄは同外胴ｃの前面側に装着される前面カバー、ｅは背面側に装着される背面カバー、２は前記筐体１の背面上部に設けられた吸込口、３は前面下部に設けられた送風ケーシング3'からなる吹出口、４はこれら吸込口２および吹出口３を結ぶ後述する空気通路に設けられ、温水を循環することにより前記吸込口２から吸い込まれた吸込空気を熱交換する放熱器、５は同放熱器４により熱交換された温風を前記吹出口３に送出するための送風ファン、5aは同送風ファン５に直結されたファンモータ、5bは同ファンモータ5aを固定するためのモータ固定具、６は前記筐体１の上面、前面および両側面との間に所定の間隔をなし同筐体１内に配置され、前記送風ケーシング3'の前面上部にフロントギャップ部6bを備えた空気通路７を形成してなる遮熱板、８は前記遮熱板６の一側と前記筐体１の一側との間に形成され、前記ファンモータ5aおよび基板8a等を収容する収容部である。
【００１０】
前記遮熱板６と前記モータ固定具5bとを一体的に形成したことから、これらの寸法形状を正確に仕上げることができるとともに、上記に説明した従来技術と比べ部品点数を減少させてコスト的に有利な構成となり、また、同時に組立工数を削減できるようにした構成となっている。
【００１１】
また、前記フロントギャップ部6bを、前記送風ケーシング3'と一体的に形成したことにより、寸法形状を正確に仕上げることができるとともに、コスト的に有利な構成となっている。
【００１２】
また、前記フロントギャップ部6bに、図３（Ａ）および図３（Ｂ）で示すように、板金製で形成した補助フロントギャップ部6b' をねじ締めなどによって添設したことにより、前記空気通路７を通過する温風によって前記フロントギャップ部6bが変形しないように保護できるようにした構成となっている。
【００１３】
更に、前記筐体１を構成する前記スタンドａに被着され、前後に前記遮熱板６を介した前記前面カバーｄおよび背面カバーｅを装着した外胴ｃに、同外胴ｃへの取付けおよび取外し時に前記遮熱板６の両側部6aが干渉しないための切除部c'を設けたことにより、前記スタンドａから前記外胴ｃを取外すことなく、前記遮熱板６を容易に取外せるようになってメンテナンスなどの作業性を向上できるようにした構成となっている。
【００１４】
以上の構成により、図１と、図２と、図３（Ａ）および図３（Ｂ）とで示すように、前記遮熱板６と前記モータ固定具5bとを一体的に形成したことによって、これらの寸法形状を正確に仕上げることができるとともに、上記に説明した従来技術と比べ部品点数を減少させてコスト的に有利な構成となり、また、同時に組立工数を削減できるようにしたファンコンベクタとなる。
【００１５】
【発明の効果】
以上のように本発明によると、空気通路を形成する遮熱板とファンモータを固定するモータ固定具とを一体的に形成したので、コスト的に有利な構造でなるファンコンベクタとなる。
【図面の簡単な説明】
【図１】本発明によるファンコンベクタの説明図で、（Ａ）は基本構造を示す断面図であり、（Ｂ）は要部斜視図である。
【図２】本発明によるファンコンベクタの分解斜視図である。
【図３】本発明によるファンコンベクタの要部説明図で、（Ａ）は分解斜視図であり、（Ｂ）は組立状態を示す断面図である。
【図４】従来例によるファンコンベクタの分解斜視図である。
【符号の説明】
１  筐体
ａ  スタンド
ｂ  スタンドカバー
ｃ  外胴
ｄ  前面カバー
ｅ  背面カバー
２  吸込口
３  吹出口
3'  送風ケーシング
４  放熱器
５  送風ファン
5a  ファンモータ
5b  モータ固定具
６  遮熱板
6a  遮熱板の側部
6b  フロントギャップ部
6b' 補助フロントギャップ部
７  空気通路
８  収容部
8a  基板
【図１】
0003876534.tif 000002
【図２】
0003876534.tif 000003
【図３】
0003876534.tif 000004
【図４】
0003876534.tif 000005